(57)【要約】【課題】ムーブメント内に組み込まれた、クロノグラフ機能のような機能が、手袋を着用しているときでも非常に容易に作動され、堅固な構造と長寿命を有しながら、よく定められた高精度な方法で機能制御が働く、視認できる外部プッシュ片なしの時計を作ること。【解決手段】時計は、ブラケット(２０)の形状の固定部品(１０)を有するケース(９)と、胴(２１)と固定部品(１０)に取り付けられたムーブメント(２３)とを有する可動部分(１１)と、を含み、可動部品(１１)の二つの反対方向の傾斜作用を実現するために、ピボット(３１)によって旋回軸線(３２)を中心に旋回できる。二つの作動機構(４４，４５)は、胴(２１)内に取り付けられ、傾斜作用を、クロノグラフタイプのムーブメントの機能の二つの制御手段の作用に変換するようになっている。かくして、プッシュ片なしに、正確に機能し、顕著な安定性と容易な操作を有する時計を得ることができる。【選択図】図３Ｂ
2007041003.tif 000002
【特許請求の範囲】
【請求項１】
ケース(９)と、ムーブメントの外側からアクセスでき、且つ少なくとも一つの機能を作動させるようになっている少なくとも一つの制御手段(４１，４１)を備えたムーブメント(２３)を含む時計であって、
ケース(９)は、固定部品(１０)と、可動部品(１１)と、を有し、可動部品は、固定部品(１０)に対する可動部品(１１)の傾斜作用を実現するために、少なくとも一つのピボット３１)のため、旋回軸線(３２)を中心に旋回するように固定部品に取り付けられ、少なくとも一つの作動機構(４４，４５)が、可動部品(１１)の傾斜作用を前記少なくとも一つの制御手段(１０，１１)の作用に変換するために、固定部品および可動部品と協働し、可動部品(１１)の少なくとも一セグメント(２１，２９)を押すことによって、傾斜作用が実現される、
ことを特徴とする時計。
【請求項２】
ムーブメント(２３)は、外部からアクセスでき、クロノグラフのスタート／ストップ機能およびゼロリセット機能のような、少なくとも第一および第二の機能を作動するようになっている、第一および第二の制御手段(４０，４１)を含み、時計は、二つの作動機構(４４，４５)を含み、その第一作動機構(４４)および第二作動機構(４５)は、それぞれ、第一(４０)および第二(４１)の作動機構を作動するように構成され、可動部品(１１)が、第一の方向または第一の方向と反対の第二の方向に傾斜作用を行う、
請求項１に記載の時計。
【請求項３】
固定部品(１０)は、二つの角片(１４，１５)とフレーム(１２)とからなり、且つ二つの直径方向に向かい合ったピボットセグメント(３１)を備え、二つの反対方向に傾斜作用を可能にするように可動部品(１１)と協働するようになった、ブラケットを含む、
請求項１または請求項２に記載の時計。
【請求項４】
可動部品は、二つのピボット片(３１)を介してブラケット(２０)に枢着された胴(２１)を含み、この胴(２１)は、ムーブメントを取り囲み、下が底(２２)によって、且つ上がベゼル(２６)およびガラスぶた(２９)によって密封される、
請求項３に記載の時計。
【請求項５】
前記少なくとも一つの作動機構(４４，４５)は、胴(２１)に取り付けられ、そしてブラケット(２０)と協働し、且つムーブメント(２３)の前記少なくとも一つの制御手段(４０，４１)と協働する少なくとも一つの第二の要素(５０，５２，５４)と連結された、少なくとも一つの第一の要素(４６)を含む、
請求項４に記載の時計。
【請求項６】
前記第一の要素は、胴(２１)内にスライド可能に設けられたピストン(４６)からなり、その第一端は、ブラケット(２０)と協働し、第二端は、胴の第一軸(５１)に枢着された第一中間車(５０)と協働し、胴の第二軸(５３)に枢着された第二中間車(５２)と協働し、且つ、胴の第三軸(５５)に枢着されたレバー(５４)と協働し、端部の一つ(５６)は、前記少なくとも一つの制御手段(４０，４１)と協働する、
請求項５に記載の時計。
【請求項７】
前記ピストン(４６)と関連して、胴(２１)内にスライド可能に取り付けられ、可動部品(１１)をその傾斜作用中均衡をとるようになっているプッシュピストン(６２)を含む、
請求項６に記載の時計。
【請求項８】
可動部品(１１)に可動な方法で取り付けられ、少なくとも一つの所定位置をとりながら、前記第一および／または第二の方向の可動部品(１１)の傾斜作用を阻止するようになっている、選択手段(６６)を含む、
請求項２に記載の時計。
【請求項９】
選択手段(６６)は、胴(２１)に可動な方法で取り付けられ、且つブラケット(２１)の少なくとも一つのセグメント(７０，７１，７２)と協働するようになっている面を含むスライド(６８)を含み、前記面およびセグメントは、スライド(６８)の第一の位置での可動部品(１１)の二つの反対方向の傾斜作用、スライド(６８)の第二の位置での可動部品(１１)の一方向の傾斜作用、またはスライド(６８)の第三の位置での可動部品(１１)の非傾斜作用のいずれかを許すように、形状づけられている、
請求項４および請求項８に記載の時計。
【発明の詳細な説明】
【技術分野】
【０００１】
本発明は、ケースと、少なくとも一つの制御手段を備えたムーブメントと、を含み、制御手段がムーブメントの外側からアクセスでき、且つ少なくとも一つの機能を作動するようになっている時計に関する。
【背景技術】
【０００２】
このタイプの時計は、知られており、例えばクロノグラフ時計のスタートおよびストップの機能並びにゼロリセットの機能を提供する。これらの時計は一般的には、一般的に２時位置と４時位置で、時計ケースの側面から突出するプッシュ片を有する。
【０００３】
これらのプッシュ片は、時計を一般的に大きくし、引っかかる要素であるという欠点を有する。これらは、特に手袋を着用した使用者にとって、操作するのに非常に快適でない。これらの突出形状は、着用するのに不愉快であり、大きくて重そうな、非常に審美的でない外観を作る。加えて、特にプッシュ片を、湿気がある、あるいは汚染された雰囲気で操作するとき、水やほこりの侵入に対する保護を保証することは、困難である。
【発明の開示】
【課題を解決するための手段】
【０００４】
本発明はこれらの欠点を軽減し、ムーブメント内に組み込まれた、クロノグラフ機能のような機能が、手袋を着用しているときでも非常に容易に作動され、堅固な構造と長寿命を有しながら、よく定められた高精度な方法で機能制御が働く、視認できる外部プッシュ片なしの時計を作ることを目的とする。このために、本発明による時計は、請求項１に表われている特徴を含み、ケースは、固定部品と、可動部品と、を含み、可動部品が、固定部品に対する可動部品の傾斜作用を実現するために、少なくとも一つのピボットのために、旋回軸線を中心に旋回できるように固定部品に取り付けられ、少なくとも一つの作動機構が、可動部品の傾斜作用を前記少なくとも一つの制御手段の作用に変換するために、固定部品および可動部品と協働し、可動部品の少なくとも一セグメントを押すことによって、傾斜作用が実現される。
【０００５】
これらの特徴のため、外部プッシュ片が廃止され、ムーブメントの機能の制御の作動を手袋を着用するときでも容易にする。請求されたこの特徴は、顕著な着用の快適さと審美的外観を付与しながら、非常に堅固で、長寿命であり、且つ所定の旋回軸線周りの傾斜作用によって正確に機能する構造を可能にする。
【０００６】
有利には、ムーブメントは、外部からアクセスでき、クロノグラフのスタート／ストップ機能およびゼロリセット機能のような、少なくとも第一および第二の機能を作動するようになっている、第一および第二の制御手段を含み、時計は、二つの作動機構を含み、その第一および第二の作動機構は、可動部品が、第一の方向または第一の方向とは反対の第二の方向に傾斜作用を行うとき、第一および第二の制御手段によってそれぞれ作動されるように配置される。
【０００７】
これらの特徴は、少なくとも二つの機能制御、特にクロノグラフ時計の機能の、非常に正確な制御をもたらす。
【０００８】
有利な実施形態によれば、固定部品は、二つの角片とフレームと、からなるブラケットを含み、フレームは、傾斜作用を二つの反対方向に可能にするために、可動部品と協働するようになった、二つの直径方向に向かい合ったピボットセグメントを備える。
【０００９】
かくして得られたこの構造は、特に信頼性があり、高められた安定性および長寿命を提供する。
【００１０】
可動部品は、有利には、二つのピボット片を介してブラケットに枢着された胴を含み、この胴は、ムーブメントを取り囲み、下が底によって、上がベゼルおよびガラスぶたによってしっかり密封される。
【００１１】
これらの特徴のため、予期しない衝撃抵抗の利益を得ながら、非常に小型で頑丈な構造が得られる。
【００１２】
好ましい実施形態では、前記少なくとも一つの作動機構は、胴に取り付けられ、そしてブラケットと協働し、且つムーブメントの前記少なくとも一つの制御手段と協働する少なくとも第二の要素に連結された、少なくとも第一の要素を含む。
【００１３】
これらの特徴は、非常に正確な機能、強い構造、および容易な組立をもたらす。
【００１４】
有利には、時計は、可動部品に可動な方法で取り付けられ、少なくとも一つの所定位置をとりながら、可動部品の前記第一および／または第二の方向における傾斜作用を阻止するようになっている、選択手段を含む。
【００１５】
かくして、制御機能のいかなる望まない作動も阻止することができる。
【００１６】
有利には、選択手段は、胴に可動な方法で取り付けられ、且つブラケットの少なくとも一セグメントと協働するようになっている面を含むスライドを含み、前記面およびセグメントは、スライドの第一の位置での二つの反対方向の可動部品の傾斜作用、スライドの第二の位置での一方向の可動部品の傾斜作用、およびスライドの第三の位置での可動部品の非傾斜作用のいずれかを許すように、形状づけられている。
【００１７】
他の利点は、従属項に表された特徴、および実施形態を概略的に且つ例示的な方法で表した図面を用いて、以下に本発明をより詳細に述べる記載から明白になる。
【発明を実施するための最良の形態】
【００１８】
図に示された実施形態は、クロノグラフタイプの時計からなる。このクロノグラフ８は、固定部品１０と、固定部品１０を中心に旋回できるように取り付けられた可動部品１１と、を含む時計ケース９を含む。図２を参照すると、前記固定部品は、フレーム１２と、可動部品１１を保持するようになっているブラケット２０を形成するように、ねじ１６によってフレーム１２に取り付けられた二つの角セグメント１４，１５と、からなる。
【００１９】
この可動部品１１は、ねじ止めされた底２２と、ガスケット１９と、によって下が密封された胴２１を含む。
【００２０】
次の要素が、胴内に取り付けられ、図２に底から頂まで見られる、即ち、ムーブメント２３、文字盤２４、指示手段２５、胴にねじ止めされた内側ベゼル２６、プラスチックで作られたカラー２７、ガラスぶたのための封止ガスケット２８、ガラスぶた２９、および従来の設計の竜頭３３である。
【００２１】
胴２１は、３時位置と９時位置でフレーム１２に設けられた二つのピボットセグメント３１と協働するようになっている二つのねじ３０を介して、ブラケット２０に枢動可能に取り付けられる。１２時位置または６時位置で可動部品１１の上側を押すことによって、二つのねじ３０および二つのピボットセグメント３１の中心軸線によって定められた旋回軸線３２にしたがって、固定部品１０に対する可動部品１１の傾斜作用を得る。
【００２２】
ムーブメント２３は、ムーブメントの外側からアクセスでき、少なくとも二つの機能、即ちここではクロノグラフのスタート／ストップ機能およびゼロリセット機能を作動するようになっている二つの制御手段４０，４１（図４）を含む。これらの制御手段は、２時位置と４時位置に従来の方法で配置されている。
【００２３】
これらの二つの機能の作動のために、時計は、可動部品１１の傾斜作用を制御手段４０，４１のいずれかの作用に変換するために、固定部品１０および可動部品１１と協働する、二つの等しい作動機構４４，４５を備える。
【００２４】
二つの作動機構４４，４５は、胴２１内に取り付けられ、そして、各々、胴２１内にスライド可能に、且つ密封可能に取り付けられ、ばね４７および密封ガスケット４８を備えたピストン４６（図３Ａ，３Ｂ）を含む。ピストン４６の下端は、ブラケット２０に設けられた凹部４９と協働し、ピストン４６の頭は、胴２１内に水平に据え付けられたねじ５１を中心に回転可能に取り付けられた第一中間車５０と接触している。
【００２５】
この第一中間車５０は、ボールベアリングを介して胴の垂直軸５３に取り付けられた第二中間車５２に作用する（図４Ａ）。第二中間車５２は、ボールベアリングを介して胴の垂直軸５５上に取り付けられたレバー５４を駆動する。レバー５４の湾曲端５６は、ムーブメント２３の制御手段４０または４１を作動するようになっている。二つの作動機構４４，４５は、３時と９時を通る対称平面に関して対称な同一の設計を有し、一方４４は、スタート／ストップの制御手段４０を作動し、他方４５は、クロノグラフのゼロリセットの制御手段４１を作動する。
【００２６】
可動部品１１の二つの反対方向の傾斜作用は、６時と１２時でブラケット２０にねじ止めされた、二つの調整可能なストップ６０によって制限される（図５）。
【００２７】
レバー５６の移動の振幅は、胴２１に取り付けられたセットねじ６１によって制限される（図４Ｂ）。
【００２８】
胴２１は、傾斜作用中に可動部品１１を安定させて均衡を取るために、二つのピストン４６の隣に取り付けられ、ブラケット２０に設けられた凹部６３と弾性的に協働するようになっている、二つのバランスボタン６２（図２および図６）を備える。
【００２９】
時計は、さらに、胴２１に取り付けられ、且つ使用者によって作動されるようになっているカーソル６７およびカーソルにねじ止めされたスライド６８を含む選択機構６６（図２および図７）を含む。
【００３０】
スライド６８の底面は、凹部６９を呈し、可動部品１１の移動の選択を実現するために、ブラケット２０のボアに打ち込まれた三つのピン７０，７１，７２と協働するようになっている。
【００３１】
図７に図示する中間位置では、ピンのいずれもがスライド６８に接触しておらず、それ故に可動部品１１は、スタート／ストップおよびゼロリセットの二つのクロノグラフ機能を制御するために、二つの方向に旋回される。
【００３２】
図７でカーソル６７が右に押されると、右のピン７２がスライド６８に接触し、それ故に可動部品１１は、旋回軸線３２を中心に反時計回りのみに傾斜作用を行う。時計回りの作用は阻止される。この位置では、スタート／ストップ機能の制御が可能であり、ゼロリセット機能の制御は阻止される。
【００３３】
図７でカーソルが左に配置されると、ピン７０およびピン７１がスライド６８に接触し、可動部品１１は傾斜することができず、それ故にクロノグラフのいかなる制御機能も実現できない。
【００３４】
加えて、図７は、ねじ１６でフレーム１２にねじ止めされた二つの角セグメント１４，１５を含むブラケット２０の全セットの部品を示す。ブラケット２０と可動部品１１の対向側面７５，７６は、球面ベースの円筒面、及び円筒面の中心軸線を構成する旋回軸線３２を中心とする傾斜作用中、一方の他方に対するスライド作用を許す非常に狭い隙間を形成するように、機械加工される。
【００３５】
図８Ａ、図８Ｂ、および図８Ｃを参照すると、この傾斜作用は、固定部品１０と可動部品１１との間の非常に狭い隙間によって、ほとんど視認できない。
【００３６】
１２時で押すことによるスタート／ストップ機能の制御位置（図８Ｂ）と、６時位置で押すことによるゼロリセット機能の制御位置（図８Ｃ）は、可動部品１１の中間休止位置（図８Ａ）から、ほとんど認識できない。良く定められた旋回軸線３２を中心とする、この傾斜機構により、手袋を着用するときでも正確な動作および機能の大変容易な制御が得られ、不格好でかさばるプッシュ片が回避される。
【００３７】
図３Ｃおよび図７は、使用者の腕に面するブラケットの底面が高い着用快適さを確保する凹面中央セグメント８０を呈していることを示す。この中央セグメントは、平らな支持体の上に置かれたとき時計の安定位置をもたらす周囲平坦セグメント８１によって取り囲まれている。
【００３８】
上に記載される実施形態は、特徴を制限するものではなく、請求項１に記載される範囲内でいかなる所望の改造も受け入れられることが理解される。特に、ムーブメントの制御は、リピーター、打方器、スプリットタイマー、タイマー、二つまたはそれ以上の時間帯を有する時計などのもののように、他のタイプのものであってもよい。ブラケットおよび可動部品は、その他のデザインであってもよい。
【００３９】
時計は、また、二つの垂直旋回軸線を中心に傾斜作用を許す、交差した旋回軸線を有する二重のブラケットを表すことができる。作動機構および選択手段は、その他のデザインを有することができる。
【図面の簡単な説明】
【００４０】
【図１】プッシュ片なしのクロノグラフの形態の本実施形態の平面図。
【図２】このクロノグラフの分解図。
【図３Ａ】休止位置３Ａのクロノグラフを示す、図１のIII-III線に沿った断面図。
【図３Ｂ】スタート／ストップ制御位置３Ｂのクロノグラフを示す、図１のIII-III線に沿った断面図。
【図３Ｃ】ゼロリセット位置３Ｃのクロノグラフを示す、図１のIII-III線に沿った断面図。
【図４Ａ】休止位置３Ａのクロノグラフの詳細平面図。
【図４Ｂ】スタート／ストップ制御位置３Ｂのクロノグラフの詳細平面図。
【図４Ｃ】ゼロリセット位置３Ｃのクロノグラフの詳細平面図。
【図５】詳細を示す、図１のV-V線に沿った断面図。
【図６】詳細を示す、図１のVI-VI線に沿った断面図。
【図７】選択手段を表す、図１のVII-VII線に沿った断面図。
【図８Ａ】休止位置８Ａでの本実施形態の図。
【図８Ｂ】スタート／ストップ制御位置８Ｂでの本実施形態の図。
【図８Ｃ】ゼロリセット位置８Ｃでの本実施形態の図。
【図１】
2007041003.tif 000003
【図２】
2007041003.tif 000004
【図３Ａ】
2007041003.tif 000005
【図３Ｂ】
2007041003.tif 000006
【図３Ｃ】
2007041003.tif 000007
【図４Ａ】
2007041003.tif 000008
【図４Ｂ】
2007041003.tif 000009
【図４Ｃ】
2007041003.tif 000010
【図５】
2007041003.tif 000011
【図６】
2007041003.tif 000012
【図７】
2007041003.tif 000013
【図８Ａ】
2007041003.tif 000014
【図８Ｂ】
2007041003.tif 000015
【図８Ｃ】
2007041003.tif 000016
【外国語明細書】
2007041003.tif 000017
2007041003.tif 000018
2007041003.tif 000019
2007041003.tif 000020
2007041003.tif 000021
2007041003.tif 000022
2007041003.tif 000023
2007041003.tif 000024
2007041003.tif 000025
2007041003.tif 000026
2007041003.tif 000027
2007041003.tif 000028
2007041003.tif 000029
2007041003.tif 000030
2007041003.tif 000031